(57)【要約】【課題】システム全体の複雑化、高コスト化を招くことなく、居室内の温度分布にむらが発生することを抑制するとともに、居室内のレイアウト変更に要する手間を簡素化することができる、対流空調と放射空調とを併用したパーソナル空調システムを提供する。【解決手段】パーソナル空調システム１０は、パーティション１０が床２０の上に設置される居室２を、床２０の下から供給される空調空気により空調を行うシステムであって、パーティション１０は、床２０の下から空調空気を取り込む取込口１１と、取込口１１により取り込まれた空調空気を内部に流通させることにより、空調空気による放射空調を行う本体部１３と、本体部１３により流通させた空調空気を居室２に吹き出す吹出口１２と、を備える。【選択図】      図２
2019190697.tif 000002
【特許請求の範囲】
【請求項１】
什器が床の上に設置される居室を、前記床の下から供給される空調空気により空調を行うパーソナル空調システムであって、
前記什器は、
前記床の下から前記空調空気を取り込む取込口と、
前記取込口により取り込まれた前記空調空気を内部に流通させることにより、前記空調空気による放射空調を行う本体部と、
前記本体部により流通させた前記空調空気を前記居室に吹き出す吹出口と、
を備えることを特徴とするパーソナル空調システム。
【請求項２】
前記什器は、前記本体部の内部に設けられた整流装置を備え、
前記整流装置は、前記取込口により取り込まれた前記空調空気を前記吹出口から前記居室に吹き出す前に、前記空調空気が前記本体部の内部に行き渡るように、前記空調空気の流通状態を調整する
ことを特徴とする請求項１に記載のパーソナル空調システム。
【請求項３】
前記整流装置は、複数の板状の流路調整部材で構成されており、
前記複数の流路調整部材は、前記取込口及び前記吹出口を結ぶ本流路と、前記本流路を迂回する迂回流路とを形成するように配置されている
ことを特徴とする請求項２に記載のパーソナル空調システム。
【請求項４】
前記整流装置は、複数の孔が形成された板状の有孔部材で構成されており、
前記有孔部材は、前記有孔部材の長手方向と、前記取込口及び前記吹出口を結ぶ線とが交差するように配置されている
ことを特徴とする請求項２に記載のパーソナル空調システム。
【請求項５】
前記什器は、前記本体部の側面を覆う放射促進部材及び断熱部材の少なくとも一方を備える
ことを特徴とする請求項１乃至請求項４のいずれかに記載のパーソナル空調システム。
【請求項６】
前記取込口は、前記本体部の下面に設けられ、
前記吹出口は、前記本体部の側面の上側又は上面に設けられ、
前記什器は、前記吹出口に設けられ、前記空調空気の風向又は風量を調整する吹出口調整機構と、前記吹出口又は前記前記本体部の内部若しくは下方に設けられ、前記空調空気を送風する送風機構との少なくとも一方を備える
ことを特徴とする請求項１乃至請求項５のいずれかに記載のパーソナル空調システム。
【請求項７】
前記吹出口は、前記本体部の側面の上側又は上面に設けられた第１の吹出口と、前記本体部の側面の下側に設けられた第２の吹出口と、を備え、
前記什器は、前記本体部の内部に設けられた流路切替機構を備え、
前記流路切替機構は、前記取込口により取り込まれた空調空気を前記本体部の上側に上昇させて、前記第１の吹出口から吹き出すように形成された第１の流路と、前記取込口により取り込まれた空調空気を前記本体部の上側に上昇させてから前記本体部の下側に下降させて、前記第２の吹出口から吹き出すように形成された第２の流路と、前記取込口により取り込まれた空調空気を流通させる流路として、前記第１の流路と、前記第２の流路とを切り替える切替部と、を備える
ことを特徴とする請求項１乃至請求項５のいずれかに記載のパーソナル空調システム。
【請求項８】
前記取込口は、前記本体部の下面に設けられ、
前記床は、ケーブル接続ボックスを設置可能な開口であって、前記床の下から前記空調空気を供給する給気口を備え、
前記什器は、前記取込口と前記給気口とが対向するように、前記床の上に設置されている
ことを特徴とする請求項１乃至請求項７のいずれかに記載のパーソナル空調システム。
【発明の詳細な説明】
【技術分野】
【０００１】
本発明は、什器が床の上に設置される居室を、床の下から供給される空調空気により空調を行うパーソナル空調システムに関する。
【背景技術】
【０００２】
近年、オフィス等の居室においては、執務者にとって作業に集中できる快適な空間を提供することが重要となっており、そのための一つの方法として、各執務者の温冷感に応じて空調を行うパーソナル空調システムが提案されている。
【０００３】
例えば、特許文献１には、各執務者の周囲に設置されるデスクやパーティションなどの什器に空調の吹出口を備え、床下のダクトから供給される空調空気を吹出口から吹き出すことにより、対流空調を行う空調システムが開示されている。
【０００４】
また、特許文献２には、各執務者の周囲に設置されるパーティションに輻射パネルを備え、室外ユニットからの冷媒を、配管を介して輻射パネルに供給することにより、輻射（放射）空調を行う空調システムが開示されている。
【先行技術文献】
【特許文献】
【０００５】
【特許文献１】特開平４−３５０４４４号公報
【特許文献２】特開平６−０６６４４６号公報
【発明の概要】
【発明が解決しようとする課題】
【０００６】
しかし、特許文献１に記載された空調システムでは、空調空気を吹出口から吹き出すため、吹出口に近い位置と、吹出口から離れた位置との間の温度差が大きくなり、居室内の温度分布にむらが発生する、という問題がある。
【０００７】
また、居室内の温度分布にむらが発生することを抑制するために、対流空調と、放射空調とを併用することが考えられるが、特許文献１に記載された空調システムと、特許文献２に記載された空調システムとを併用した場合には、対流空調を行うシステムと、放射空調を行うシステムとを別個に設置することになるため、システム全体の複雑化、高コスト化を招く、という問題がある。
【０００８】
さらに、特許文献１に記載された空調システムでは、空調空気が床下のダクトから供給され、特許文献２に記載された空調システムでは、冷媒が配管を介して供給されるため、居室内のレイアウト変更を行う場合には、ダクトや配管を設置し直したり、ダクトや配管を通す孔を床に開けたりする工事が必要になり、居室内のレイアウト変更に手間を要する、という問題がある。
【０００９】
本発明は、上記の問題を解決するために、システム全体の複雑化、高コスト化を招くことなく、居室内の温度分布にむらが発生することを抑制するとともに、居室内のレイアウト変更に要する手間を簡素化することができる、対流空調と放射空調とを併用したパーソナル空調システムを提供することを目的とする。
【課題を解決するための手段】
【００１０】
本発明は、上記課題を解決するものであって、本発明に係るパーソナル空調システムは、什器が床の上に設置される居室を、前記床の下から供給される空調空気により空調を行うパーソナル空調システムであって、前記什器は、前記床の下から前記空調空気を取り込む取込口と、前記取込口により取り込まれた前記空調空気を内部に流通させることにより、前記空調空気による放射空調を行う本体部と、前記本体部により流通させた前記空調空気を前記居室に吹き出す吹出口と、を備えることを特徴とする。
【００１１】
また、本発明に係るパーソナル空調システムは、前記什器は、前記本体部の内部に設けられた整流装置を備え、前記整流装置は、前記取込口により取り込まれた前記空調空気を前記吹出口から前記居室に吹き出す前に、前記空調空気が前記本体部の内部に行き渡るように、前記空調空気の流通状態を調整することを特徴とする。
【００１２】
また、本発明に係るパーソナル空調システムは、前記整流装置は、複数の板状の流路調整部材で構成されており、前記複数の流路調整部材は、前記取込口及び前記吹出口を結ぶ本流路と、前記本流路を迂回する迂回流路とを形成するように配置されていることを特徴とする。
【００１３】
また、本発明に係るパーソナル空調システムは、前記整流装置は、複数の孔が形成された板状の有孔部材で構成されており、前記有孔部材は、前記有孔部材の長手方向と、前記取込口及び前記吹出口を結ぶ線とが交差するように配置されていることを特徴とする。
【００１４】
また、本発明に係るパーソナル空調システムは、前記什器は、前記本体部の側面を覆う放射促進部材及び断熱部材の少なくとも一方を備えることを特徴とする。
【００１５】
また、本発明に係るパーソナル空調システムは、前記取込口は、前記本体部の下面に設けられ、前記吹出口は、前記本体部の側面の上側又は上面に設けられ、前記什器は、前記吹出口に設けられ、前記空調空気の風向又は風量を調整する吹出口調整機構と、前記吹出口又は前記前記本体部の内部若しくは下方に設けられ、前記空調空気を送風する送風機構との少なくとも一方を備えることを特徴とする。
【００１６】
また、本発明に係るパーソナル空調システムは、前記吹出口は、前記本体部の側面の上側又は上面に設けられた第１の吹出口と、前記本体部の側面の下側に設けられた第２の吹出口と、を備え、前記什器は、前記本体部の内部に設けられた流路切替機構を備え、前記流路切替機構は、前記取込口により取り込まれた空調空気を前記本体部の上側に上昇させて、前記第１の吹出口から吹き出すように形成された第１の流路と、前記取込口により取り込まれた空調空気を前記本体部の上側に上昇させてから前記本体部の下側に下降させて、前記第２の吹出口から吹き出すように形成された第２の流路と、前記取込口により取り込まれた空調空気を流通させる流路として、前記第１の流路と、前記第２の流路とを切り替える切替部と、を備えることを特徴とする。
【００１７】
また、本発明に係るパーソナル空調システムは、前記取込口は、前記本体部の下面に設けられ、前記床は、ケーブル接続ボックスを設置可能な開口であって、前記床の下から前記空調空気を供給する給気口を備え、前記什器は、前記取込口と前記給気口とが対向するように、前記床の上に設置されていることを特徴とする。
【発明の効果】
【００１８】
本発明に係るパーソナル空調システムによれば、取込口により取り込まれた空調空気を吹出口から居室に吹き出すことにより対流空調を行うとともに、空調空気を本体部の内部に流通させることにより空調空気による冷熱又は温熱を用いて放射空調を行うことができる。そのため、１つのシステムで対流空調と放射空調とを併用することができ、放射空調を行うための配管等の専用の設備が不要になるので、システム全体の複雑化、高コスト化を招くことなく、対流空調だけを行う場合に比べて居室内の温度分布にむらが発生することを抑制するとともに、居室内のレイアウト変更に要する手間を簡素化することができる。
【図面の簡単な説明】
【００１９】
【図１】本発明の実施の形態に係るパーソナル空調システム１の全体構成の一例を示す図である。
【図２】本発明の実施の形態に係るパーティション１０の概略構成の一例を示す図である。
【図３】本発明の実施の形態に係るパーティション１０の整流装置１４の一例を示し、（ａ）は第１の実施例におけるＡ−Ａ線断面図、（ｂ）は第２の実施例におけるＡ−Ａ線断面図、（ｃ）は第２の実施例における有孔部材の一例を示す図である。
【図４】本発明の実施の形態に係るパーティション１０の設置例を示し、（ａ）は上面図、（ｂ）はＢ−Ｂ線の断面図である。
【図５】本発明の実施の形態に係るパーティション１０の吹出口調整機構１７及び送風機構１８の一例を示し、（ａ）は第１の実施例、（ｂ）は第２の実施例、（ｃ）は第３の実施例、（ｄ）は第４の実施例、（ｅ）は第５の実施例、（ｆ）は第６の実施例を示す図である。
【図６】本発明の実施の形態に係るパーティションの流路切替機構の一例を示し、（ａ）は冷房運転時の空調空気の流路、（ｂ）は暖房運転時の空調空気の流路を示す図である。
【発明を実施するための形態】
【００２０】
以下、本発明の実施の形態に係るパーソナル空調システム１について図面を参照しつつ説明する。図１は、本発明の実施の形態に係るパーソナル空調システム１の全体構成の一例を示す図である。パーソナル空調システム１は、什器としてのパーティション１０が床２０の上に設置される居室２を、空調機器３により床２０の下から供給される空調空気により空調を行うシステムである。ここでは、パーソナル空調システム１が、冷房運転を行う空調システムとして説明する。
【００２１】
パーソナル空調システム１が適用される建物は、上下のスラブ４Ａ、４Ｂ等の躯体で構成され、床２０と天井２３との間に居室２が形成されている。床２０は、給気口２１を備えるとともに、床２０と下側のスラブ４Ａとの間に給気チャンバ２２が形成されて、二重床の構造を有する。また、天井２３は、還気口２４を備えるとともに、天井２３と上側のスラブ４Ｂとの間に還気チャンバ２５が形成されている。
【００２２】
パーティション１０は、執務者Ｍの周囲の床２０の上に鉛直に立ち上げられた状態で設置されて、居室２を仕切ることにより、執務者Ｍの執務スペースを形成する。パーティション１０は、吹出口１２を備え、吹出口１２は、空調機器３により温度調整された給気ＳＡを空調空気として吹き出すように構成されている。なお、パーティション１０は、什器の一例であるが、什器としては、例えば、デスク、キャビネット等が挙げられる。
【００２３】
空調機器３は、空調機能を有する空調部３０と、給気チャンバ２２に連通する給気配管３１と、還気チャンバ２５に連通する還気配管３２と、を備える。空調部３０は、外気ＯＡを導入し、導入した外気ＯＡを温度調整し、給気配管３１により給気ＳＡとして給気チャンバ２２を介して給気口２１に供給する。また、空調部３０は、居室２内の空気を還気口２４及び還気チャンバ２５を介して還気ＲＡとして還気配管３２により吸入し、排気ＥＡとして外部に排出する。なお、空調部３１は、温度だけでなく、湿度についても調整するようにしてもよい。
【００２４】
図２は、本発明の実施の形態に係るパーティション１０の概略構成の一例を示す図である。パーティション１０は、床２０の給気口２１から供給される給気ＳＡを空調空気として取り込む取込口１１と、取込口１１により取り込まれた空調空気を内部に流通させることにより、空調空気による放射空調を行う本体部１３と、本体部１３により流通させた空調空気を居室２に吹き出す吹出口１２と、を備える。
【００２５】
本体部１３は、衝立状の外形を構成する部材であって、形状やサイズは任意のものでよい。また、本体部１３は、その内部が空洞となっており、空調空気を内部に流通させることができる。取込口１１は、本体部１３の下面に設けられており、取込口１１と床２０の給気口２１とが対向するように、本体部１３が床２０の上に設置されている。吹出口１２は、本体部１３の上側であって、執務者Ｍの執務スペース側の側面に設けられている。
【００２６】
また、パーティション１０は、執務者Ｍの執務スペース側の側面を覆う放射促進部材１５と、執務者Ｍの執務スペース側と反対側の側面を覆う断熱部材１６と、を備える。放射促進部材１５は、熱伝導性の高い部材で構成されており、例えば、アルミニウムやスチール等の金属で構成されている。断熱部材１６は、グラスウール等の断熱性を有する部材で構成されている。
【００２７】
なお、パーティション１０は、放射促進部材１５及び断熱部材１６のいずれか一方を備えていてもよく、断熱部材１６を備えていない場合には、放射促進部材１５が、本体部１３の両方の側面を覆うようにしてもよい。放射促進部材１５及び断熱部材１６は、本体部１３の側面の一部を覆うようにしてもよいし、側面の全体を覆うようにしてもよい。放射促進部材１５及び断熱部材１６は、本体部１３の側面の外側に取り付けてもよいし、側面の内側に取り付けてもよい。
【００２８】
パーティション１０が、上記の放射促進部材１５を備えることにより、空調空気による冷熱で本体部１３の表面温度が下がりやすくなるため、放射空調を効率的に行うことができる。また、パーティション１０が、上記の断熱部材１６を備えることにより、執務者Ｍの執務スペースとは反対側のスペース（図２におけるパーティション１０の紙面左側）からの温熱の流入や、当該スペースへの冷熱の流出を抑制することができる。さらに、上記の断熱部材１６は、吸音材としても機能するため、騒音や送風機構（詳細は後述する）の振動が外部に漏れることを抑制することができる。
【００２９】
図３は、本発明の実施の形態に係るパーティション１０の整流装置１４の一例を示し、（ａ）は第１の実施例におけるＡ−Ａ線断面図、（ｂ）は第２の実施例におけるＡ−Ａ線断面図、（ｃ）は第２の実施例における有孔部材の一例を示す図である。パーティション１０は、本体部１３の内部に設けられた整流装置１４を備える。整流装置１４は、取込口１１により取り込まれた空調空気を吹出口１２から居室２に吹き出す前に、空調空気が本体部１３の内部全体に行き渡るように、取込口１１から吹出口１２までの間を空調空気が流通する流通状態（例えば、流通方向や流通量）を調整する。
【００３０】
図３（ａ）に示す第１の実施例では、整流装置１４は、取込口１１により取り込まれた空調空気が、本体部１３の長手水平方向（図３における紙面の左右方向）に広がるように、空調空気の流通状態を調整する複数の板状の流路調整部材１４０Ａ、１４０Ｂを備え、複数の流路調整部材１４０Ａ、１４０Ｂは、取込口１１及び吹出口１２を結ぶ本流路１４１と、本流路１４１を迂回する複数の迂回流路１４２とを形成するように配置されている。
【００３１】
本体部１３の長手水平方向の中央部付近に配置された流路調整部材１４０Ａは、本体部１３の内部に鉛直方向に直線状に配置された板状の部材である。本体部１３の長手水平方向の左右端部付近に配置された複数の流路調整部材１４０Ｂは、取込口１１から離れるに従って中央部付近から左右端部付近に広がるように斜めに配置されるとともに、所定の高さよりも上側では鉛直方向に直線状に配置された板状の部材である。なお、流路調整部材１４０Ａ、１４０Ｂは、取込口１１及び吹出口１２の間を複数の流路に分割するものであれば、上記の数や形状に限られない。
【００３２】
図３（ｂ）、（ｃ）に示す第２の実施例では、整流装置１４は、取込口１１により取り込まれた空調空気が、本体部１３の長手水平方向（図３における紙面の左右方向）に広がるように、空調空気の流通状態を調整する有孔部材１４３を備える。有孔部材１４３は、複数の孔１４３ａ、１４３ｂが形成された板状の部材であって、有孔部材１４３の長手方向を示す線Ｌ１と、取込口１１及び吹出口１２を結ぶ線Ｌ２とが交差するように配置されている。
【００３３】
図３（ｂ）に示す有孔部材１４３は、線Ｌ１と線Ｌ２とが交差するように配置されている例として、有孔部材１４３の長手方向が水平方向を向くように配置されているが、有孔部材１４３を傾けて配置するようにしてもよい。また、有孔部材１４３が本体部１３の内部に配置された際の高さとしては、図３（ｂ）に示すように、吹出口１２よりも取込口１１までの距離が短くなるような高さに配置されている。なお、図３（ｂ）に示すパーティション１０は、１つの有孔部材１４３を備えたものであるが、複数の有孔部材１４３を備え、水平方向に並べて配置してもよい。
【００３４】
有孔部材１４３に形成された孔１４３ａ、１４３ｂは、空調空気が吹出口１２側から取込口１１側に流通する際の空調空気の流れやすさ（通風率）を調整するものであり、例えば、孔１４３ａ、１４３ｂの密度やサイズを変更することにより通風率を調整する。
【００３５】
図３（ｃ）に示す有孔部材１４３は、有孔部材１４３の長手方向の中央部付近に形成された孔１４３ａの通風率が、有孔部材１４３の長手方向の左右端部付近に形成された孔１４３ｂの通風率よりも小さくなるように、孔１４３ａ、１４３ｂの密度やサイズが調整されている。例えば、孔１４３ａの密度が、孔１４３ｂの密度よりも小さくなるようにしてもよいし、孔１４３ａのサイズが、孔１４３ｂのサイズよりも小さくなるようにしてもよいし、これらを組み合わせてもよい。また、孔１４３ａ、１４３ｂの密度やサイズを段階的に調整してもよい。
【００３６】
パーティション１０が、上記の整流装置１４を備えることにより、空調空気が本体部１３の内部全体に行き渡り、空調空気による冷熱で本体部１３の全体を冷却することができるため、放射空調を効率的に行うことができる。
【００３７】
図４は、本発明の実施の形態に係るパーティション１０の設置例を示し、（ａ）はパーティション１０が設置された床２０の上面図、（ｂ）はＢ−Ｂ線の断面図である。床２０には、四角形の板状の床パネル２６が、床２０全体に敷き詰められている。床パネル２６Ａ〜２６Ｄは、床パネル２６Ａ〜２６Ｄ６の四隅を支持部（図示省略）で支持することにより、床パネル２６Ａ〜２６Ｄの下側には、給気チャンバ２２が形成されている。給気チャンバ２２には、給気ＳＡが流通されるとともに、電力ケーブルやＬＡＮ等の通信ケーブルが敷設されている。
【００３８】
床パネル２６Ａ〜２６Ｄは、切欠き状の開口２６ａや矩形状の開口２６ｂを備え、開口２６ａ、２６ｂは、例えば、電源用のコンセントボックスや有線ＬＡＮ用の通信ボックス等のケーブル接続ボックスを設置可能に構成されている。開口２６ａ、２６ｂにケーブル接続ボックスとしてコンセントボックスや通信ボックスが設置されている場合には、給気チャンバ２２に敷設された電力ケーブルや通信ケーブルが、コンセントボックスや通信ボックスを介して、床２０の上に設置されたコンピュータ等の装置に接続することが可能である。
【００３９】
また、開口２６ａ、２６ｂにケーブル接続ボックスが設置されていない場合や、開口２６ａ、２６ｂに設置されていたケーブル接続ボックスが取り外された場合には、開口２６ａ、２６ｂが、給気口２１として機能する。図４では、床パネル２６Ａ、２６Ｂが備える２つの開口２６ｂが、給気口２１として機能する。そして、給気口２１として機能する２つの開口２６ｂと、本体部１３の下面に設けられた２つの取込口１１とが対向するように、パーティション１０が床パネル２６Ａ、２６Ｂの上に設置されている場合には、給気チャンバ２２を流通する給気ＳＡが、給気口２１及び取込口１１を介して、本体部１３の内部に供給される。このように、ケーブル接続ボックスを設置可能な開口２６ａ、２６ｂを、給気口２１として利用することができるため、居室内のレイアウト変更に要する手間を簡略化することができる。
【００４０】
図４に示すパーティション１０は、２つの取込口１１と、２つの吹出口１２とを備えたものであるが、取込口１１及び吹出口１２の数は、１つでもよいし、３つ以上でもよい。また、図４に示すパーティション１０は、一方の側面に吹出口１２を備えたものであるが、両方の側面に吹出口１２を備えたものでもよいし、両方の側面に吹出口１２を備えた場合には、両方の側面の間で吹出口１２の数が異なるようにしてもよい。
【００４１】
なお、床パネル２６に複数の孔を設け、給気チャンバ２２を流通する給気ＳＡが、床パネル２６の表面から滲み出すように構成してもよいし、給気ＳＡが、開口２６ａ、２６ｂから居室２に直接吹き出すようにしてもよい。また、開口２６ａ、２６ｂに、ケーブル接続ボックスが設置されていないだけでなく、パーティション１０についても設置されていない場合には、開口２６ａ、２６ｂに蓋をしてもよいし、開口２６ａ、２６ｂを備えていない床パネル２６に交換してもよい。開口２６ａ、２６ｂは、床パネル２６を加工することで、任意の形状の開口２６ａ、２６ｂを任意の位置に追加することが可能である。
【００４２】
図５は、本発明の実施の形態に係るパーティション１０の吹出口調整機構１７及び送風機構１８の一例を示し、（ａ）は、吹出口調整機構１７及び送風機構１８が吹出口１２（本体部１３の側面の上側）に設けられた第１の実施例、（ｂ）は、吹出口調整機構１７が吹出口１２（本体部１３の側面の上側）に設けられ、送風機構１８が本体部１３の下方に設けられた第２の実施例、（ｃ）は、吹出口調整機構１７が吹出口１２（本体部１３の側面の上側）に設けられた第３の実施例、（ｄ）は、吹出口調整機構１７が吹出口１２（本体部１３の上面）に設けられ、送風機構１８が本体部１３の内部の上側に設けられた第４の実施例、（ｅ）は、吹出口調整機構１７が吹出口１２（本体部１３の上面）に設けられ、送風機構１８が本体部１３の内部の下側に設けられた第５の実施例、（ｆ）は、吹出口調整機構１７が吹出口１２（本体部１３の上面）に設けられた第６の実施例を示す図である。
【００４３】
パーティション１０は、吹出口１２に設けられた吹出口調整機構１７と、吹出口１２又は本体部１３の内部若しくは下方に設けられた送風機構１８と、を備える。吹出口調整機構１７は、空調空気の風向や風量を調整する機構であって、例えば、ルーバーで構成されている。送風機構１８は、空調空気を送風する機構であって、例えば、ファンで構成されている。図５（ｃ）、（ｆ）に示す実施例では、送風機構１８が設けられておらず、給気チャンバ２２の陽圧によって空調空気を吹出口１２から吹き出すように構成されている。
【００４４】
パーティション１０が、上記の吹出口調整機構１７及び送風機構１８を備えることにより、吹出口１２からの気流を調整することができるため、各執務者の温冷感に応じて、より快適な環境を得ることができる。
【００４５】
次に、パーソナル空調システム１が、冷房運転と暖房運転とを切替可能な空調システムである場合について説明する。図６は、本発明の実施の形態に係るパーティションの流路切替機構の一例を示し、（ａ）は冷房運転時の空調空気の流路、（ｂ）は暖房運転時の空調空気の流路を示す図である。
【００４６】
パーティション１０は、本体部１３の内部に設けられた流路切替機構１９と、本体部１３の上面に設けられた第１の吹出口１２Ａと、本体部１３の側面の下側に設けられた第２の吹出口１２Ｂと、第１の吹出口１２Ａに設けられた第１の吹出口調整機構１７Ａと、第２の吹出口１２Ｂに設けられた第２の吹出口調整機構１７Ｂと、本体部１３の内部に設けられた送風機構１８と、を備える。
【００４７】
流路切替機構１９は、取込口１１により取り込まれた空調空気を本体部１３の上側に上昇させて、第１の吹出口１２Ａから吹き出すように形成された第１の流路１９０と、取込口１１により取り込まれた空調空気を本体部１３の上側に上昇させてから本体部１３の下側に下降させて、第２の吹出口１２Ｂから吹き出すように形成された第２の流路１９１と、取込口１１により取り込まれた空調空気を流通させる流路として、第１の流路１９０と、第２の流路１９１とを切り替える切替部１９２と、を備える。
【００４８】
冷房運転時には、図６（ａ）に示すように、切替部１９２は、第１の流路１９０に切り替えるとともに、第１の吹出口調整機構１７Ａを開放し、第２の吹出口調整機構１７Ｂを閉塞する。また、暖房運転時には、図６（ｂ）に示すように、切替部１９２は、第２の流路１９１に切り替えるとともに、第１の吹出口調整機構１７Ａを閉塞し、第２の吹出口調整機構１７Ｂを開放する。なお、切替部１９２は、冷房運転か暖房運転かに応じて、第１の流路１９０と、第２の流路１９１とを自動で切り替えるものでもよいし、手動で切り替えるものでもよい。
【００４９】
パーティション１０が、上記の流路切替機構１９を備えることにより、冷房運転時は、本体部１３の上部から冷気を吹き出すとともに、冷気による放射空調を行い、暖房運転時は、本体部１３の下部から暖気を吹き出すとともに、暖気による放射空調を行うことができるため、冷房運転であっても暖房運転であっても、対流空調と放射空調とを併用することができるとともに、頭寒足熱の原則に則した空調を行うことができる。
【００５０】
以上のように、本発明の実施の形態に係るパーソナル空調システム１によれば、取込口１１により取り込まれた空調空気を吹出口１２から居室２に吹き出すことにより対流空調を行うとともに、空調空気を本体部１３の内部に流通させることにより空調空気による冷熱又は温熱を用いて放射空調を行うことができる。そのため、１つのシステムで対流空調と放射空調とを併用することができ、放射空調を行うための配管等の専用の設備が不要になるので、システム全体の複雑化、高コスト化を招くことなく、対流空調だけを行う場合に比べて居室内の温度分布にむらが発生することを抑制するとともに、居室内のレイアウト変更に要する手間を簡素化することができる。
【符号の説明】
【００５１】
１・・・パーソナル空調システム
２・・・居室
３・・・空調機器
４Ａ、４Ｂ・・・スラブ
１０・・・パーティション
１１・・・取込口
１２・・・吹出口
１２Ａ・・・第１の吹出口
１２Ｂ・・・第２の吹出口
１３・・・本体部
１４・・・整流装置
１５・・・放射促進部材
１６・・・断熱部材
１７・・・吹出口調整機構
１７Ａ・・・第１の吹出口調整機構
１７Ｂ・・・第２の吹出口調整機構
１８・・・送風機構
１９・・・流路切替機構
２０・・・床
２１・・・給気口
２２・・・給気チャンバ
２３・・・天井
２４・・・還気口
２５・・・還気チャンバ
２６Ａ〜２６Ｄ・・・床パネル
２６ａ、２６ｂ・・・開口
３０・・・空調部
３１・・・給気配管
３２・・・還気配管
１４０Ａ、１４０Ｂ・・・流路調整部材
１４１・・・本流路
１４２・・・迂回流路
１４３・・・有孔部材
１４３ａ、１４３ｂ、・・・孔
１９０・・・第１の流路
１９１・・・第２の流路
１９２・・・切替部
Ｍ・・・執務者
【図１】
2019190697.tif 000003
【図２】
2019190697.tif 000004
【図３】
2019190697.tif 000005
【図４】
2019190697.tif 000006
【図５】
2019190697.tif 000007
【図６】
2019190697.tif 000008